(57)【要約】【課題】ユーザにとって効率的な検索条件設定を案内することができる検索案内装置などを提供する。【解決手段】複数のコンテンツの複数の第１の属性のそれぞれに含まれる複数の第２の属性をそれぞれ示すキーワードを第１の属性ごとに格納するキーワード格納手段１３と、コンテンツサーバ１８に格納されたコンテンツの総数の情報及び第２の属性を示すキーワードに該当するコンテンツのキーワードごとの数の情報を取得する取得手段１７と、コンテンツの総数の情報及びキーワードごとのコンテンツの数の情報と、表示領域の１ページに表示する際に表示可能なコンテンツ数の情報とに基づき、第２の属性を示すキーワードごと及び第１の属性ごとにページ送り回数の情報を算出する算出手段１６と、少なくとも第１の属性ごとのページ送り回数の情報を第１の属性に関連付けて表示手段に表示させる表示制御手段１１とを備える。【選択図】図１
2007272625.tif 000002
【特許請求の範囲】
【請求項１】
複数のコンテンツを格納するコンテンツサーバからユーザが所望するコンテンツの検索を行うための情報を提示する検索案内装置であって、
前記複数のコンテンツの複数の第１の属性のそれぞれに含まれる複数の第２の属性をそれぞれ示すキーワードを前記第１の属性ごとに格納するキーワード格納手段と、
前記コンテンツサーバに格納されているコンテンツの総数の情報と、前記第２の属性を示すキーワードに該当するコンテンツの前記キーワードごとの数の情報とを前記コンテンツサーバから取得する取得手段と、
取得された前記コンテンツの総数の情報及び前記第２の属性を示すキーワードごとのコンテンツの数の情報と、コンテンツに関する情報を表示手段の所定の表示領域の１ページに表示する際に表示可能なコンテンツ数の情報とに基づいて、前記第２の属性を示すキーワードごと及び前記第１の属性ごとにページ送り回数の情報を算出する算出手段と、
算出された前記第２の属性を示すキーワードごとのページ送り回数の情報と前記第１の属性ごとのページ送り回数の情報のうち、少なくとも前記第１の属性ごとのページ送り回数の情報を、それぞれの前記第１の属性の前記ページ送り回数の情報に対応する前記キーワード格納手段に格納された前記第１の属性に関連付けて前記表示手段に表示させる表示制御手段とを、
備える検索案内装置。
【請求項２】
複数のコンテンツを格納するコンテンツサーバからユーザが所望するコンテンツの検索を行うための情報を提示する検索案内プログラムであって、
前記コンテンツサーバに格納されているコンテンツの総数の情報と、前記複数のコンテンツの複数の第１の属性のそれぞれに含まれる複数の第２の属性をそれぞれ示すキーワードに該当するコンテンツの前記キーワードごとの数の情報とを前記コンテンツサーバから取得するステップと、
取得された前記コンテンツの総数の情報及び前記第２の属性を示すキーワードごとのコンテンツの数の情報と、コンテンツに関する情報を表示手段の所定の表示領域の１ページに表示する際に表示可能なコンテンツ数の情報とに基づいて、前記第２の属性を示すキーワードごと及び前記第１の属性ごとにページ送り回数の情報を算出するステップと、
算出された前記第２の属性を示すキーワードごとのページ送り回数の情報と前記第１の属性ごとのページ送り回数の情報のうち、少なくとも前記第１の属性ごとのページ送り回数の情報を、それぞれの前記第１の属性の前記ページ送り回数の情報に対応する前記キーワード格納手段に格納された前記第１の属性に関連付けて前記表示手段に表示させるステップとを、
有するコンピュータに実行させるための検索案内プログラム。
【発明の詳細な説明】
【技術分野】
【０００１】
本発明は、サーバやハードディスクレコーダなどに蓄積されたAVコンテンツや複数のデジタル放送番組から、ユーザに提供する所望のコンテンツを検索する検索案内装置及び検索案内プログラムに関する。
【背景技術】
【０００２】
近年、デジタル放送によるチャンネルの増加やハードディスクレコーダの普及、TVのホームネットワーク化などに伴い、ユーザがTV受像機で視聴可能なコンテンツが増えている。図６は、そのようなTV使用環境の一例を示したもので、デジタル放送を受信するTV６１はホームネットワークサーバ６２やハードディスクレコーダ６３などとも接続されている。また、ユーザがこれら（ホームネットワークサーバ６２やハードディスクレコーダ６３など）のコンテンツ群の中から所望のコンテンツを探し出すために、ハードディスクレコーダ６３やホームネットワークサーバ６２に蓄積されているコンテンツの付加情報やデジタル放送用の電子番組情報に基づいて、タイトル、ジャンル、録画日時、その他の各種情報で絞り込み検索ができるようになっている。そのような技術が下記の特許文献１に記載されている。
【０００３】
このようなTV受像機のユーザインターフェース機器はリモコンが一般的であり、キーボード入力などが必要なフリーキーワードによる検索よりも、種類別に分類されたあらかじめ用意されているキーワードやサーバから事前に入手したキーワードをリモコンで選択して検索を行うことが望ましい。
【０００４】
図７ａから図７ｃに上述の種類別キーワードを利用した検索画面の一例を示す。図７ａ中、キーワードの種類を選ぶための検索条件設定画面１１０が示されており、ユーザは検索条件設定画面７０の指示などに従って、キーワード種類リスト７１から一つを選び、決定ボタン７２を使って決定する。そして、図７ｂに示すようにそのキーワード種類に分類されているキーワードを選ぶための検索条件設定画面７３が表示され、ユーザはキーワードリスト７４からキーワードの一つを選び、検索開始ボタン７５で検索を開始する。なお、さらに別の条件を追加する場合は、条件追加ボタン７６を選び、再び検索条件設定画面１００から条件を追加する。
【０００５】
上述のように検索開始を選んだ場合、図７ｃに示すように検索条件設定画面７３は検索結果画面７７に移行し、該当するコンテンツ情報が該当コンテンツリスト７８に表示される。このリスト表示域にすべてを表示しきれない場合にはその一部を１ページ目として表示する。ユーザは現在のページに目的のコンテンツがない場合には、次のページボタン７９などを使ってページを切り替えてコンテンツを探す。
【０００６】
図８にこのような検索における検索条件設定機能部（検索案内装置）に関するブロック図の一例を示す。図８中の太線枠内が検索条件設定機能部８０である。本機能の中枢は検索条件設定画面作成機能部８１で、デフォルト初期値あるいはユーザのリモコン操作によって選ばれたキーワード種類とキーワードデータ取得機能部８２によってキーワードデータベース８３から該当するキーワード群を取得し、キーワードリストに表示する。キーワードデータベース８３ではキーワードの種類ごとに分類された複数のキーワードがあらかじめ格納してある。また、キーワードの選択及び決定を意味するリモコン信号をリモコン信号受信機能８５を介して受信すると、現在のキーワード種類と選択されたキーワードなどから検索条件を作成し検索機能部８４に送る。そして、検索機能部８４は検索条件に基づいてコンテンツサーバ８６から所望のコンテンツの情報を取得し、取得された情報を検索条件設定画面作成機能部８１に送る。このように、検索条件の設定はユーザのリモコン操作のみに依存する。
【特許文献１】特許第３５１０８００号公報（段落０００８）
【特許文献２】特許第３２３５６６０号公報（段落０００８、０００９）
【発明の開示】
【発明が解決しようとする課題】
【０００７】
しかしながら、このような完全にユーザ依存の検索条件設定方法では、ユーザがどのような検索条件を選べば素早く目的のコンテンツに辿り着くのか分かっていない場合には、効率よく所望のコンテンツを探し出せないという欠点がある。TV受像機での絞り込み検索を行う場合においては、上述のように検索キーワードがあらかじめ用意されており、コンテンツも大抵は幾つかのキーワードで検索可能であるため、ユーザにとって重要なのはどのキーワードを選べば素早くそのコンテンツを見つけ出せるかということになる。またTVでは数メートル離れて視聴するのが一般的で、検索結果画面の文字もあまり小さくできないため、一度に表示できる該当コンテンツの数も限られてしまう。そのため、検索結果として大量のコンテンツがヒットし、そこからの更なる絞込み検索が必要になったり、検索結果表示画面をページ送り操作を必要としてしまうのでは、あまり効率のよい検索とはいえない。また、Web検索などの情報検索では、検索効率を上げるため、他人が行った過去の検索結果などから検索条件の指標をユーザに提示するような技術や上記特許文献２に記載された技術などが提案されている。しかし、これらの技術は過去の検索結果がなければ効率を上げられないため、使い始めから効率を上げる指標を与えられない。
【０００８】
本発明は、上記課題を解決するためのものであり、TV受像機で受信可能なAVコンテンツの絞り込み検索を行う場合に、ユーザにとって効率的な検索条件設定を案内することができる検索案内装置及び検索案内プログラムを提供することを目的とする。
【課題を解決するための手段】
【０００９】
上記目的を達成するために、本発明によれば、複数のコンテンツを格納するコンテンツサーバからユーザが所望するコンテンツの検索を行うための情報を提示する検索案内装置であって、前記複数のコンテンツの複数の第１の属性のそれぞれに含まれる複数の第２の属性をそれぞれ示すキーワードを前記第１の属性ごとに格納するキーワード格納手段と、前記コンテンツサーバに格納されているコンテンツの総数の情報と、前記第２の属性を示すキーワードに該当するコンテンツの前記キーワードごとの数の情報とを前記コンテンツサーバから取得する取得手段と、取得された前記コンテンツの総数の情報及び前記第２の属性を示すキーワードごとのコンテンツの数の情報と、取得された前記コンテンツの総数の情報及び前記第２の属性を示すキーワードごとのコンテンツの数の情報と、コンテンツに関する情報を表示手段の所定の表示領域の１ページに表示する際に表示可能なコンテンツ数の情報とに基づいて、前記第２の属性を示すキーワードごと及び前記第１の属性ごとにページ送り回数の情報を算出する算出手段と、算出された前記第２の属性を示すキーワードごとのページ送り回数の情報と前記第１の属性ごとのページ送り回数の情報のうち、少なくとも前記第１の属性ごとのページ送り回数の情報を、それぞれの前記第１の属性の前記ページ送り回数の情報に対応する前記キーワード格納手段に格納された前記第１の属性に関連付けて前記表示手段に表示させる表示制御手段とを備える検索案内装置が提供される。この構成により、TV受像機で受信可能なAVコンテンツの絞り込み検索を行う場合に、ユーザにとって効率的な検索条件設定を案内することができる。
【００１０】
また、本発明によれば、複数のコンテンツを格納するコンテンツサーバからユーザが所望するコンテンツの検索を行うための情報を提示する検索案内プログラムであって、前記コンテンツサーバに格納されているコンテンツの総数の情報と、前記複数のコンテンツの複数の第１の属性のそれぞれに含まれる複数の第２の属性をそれぞれ示すキーワードに該当するコンテンツの前記キーワードごとの数の情報とを前記コンテンツサーバから取得するステップと、取得された前記コンテンツの総数の情報及び前記第２の属性を示すキーワードごとのコンテンツの数の情報と、取得された前記コンテンツの総数の情報及び前記第２の属性を示すキーワードごとのコンテンツの数の情報と、コンテンツに関する情報を表示手段の所定の表示領域の１ページに表示する際に表示可能なコンテンツ数の情報とに基づいて、前記第２の属性を示すキーワードごと及び前記第１の属性ごとにページ送り回数の情報を算出するステップと、算出された前記第２の属性を示すキーワードごとのページ送り回数の情報と前記第１の属性ごとのページ送り回数の情報のうち、少なくとも前記第１の属性ごとのページ送り回数の情報を、それぞれの前記第１の属性の前記ページ送り回数の情報に対応する前記キーワード格納手段に格納された前記第１の属性に関連付けて前記表示手段に表示させるステップとを有するコンピュータに実行させるための検索案内プログラムが提供される。この構成により、TV受像機で受信可能なAVコンテンツの絞り込み検索を行う場合に、ユーザにとって効率的な検索条件設定を案内することができる。
【発明の効果】
【００１１】
本発明の検索案内装置及び検索案内プログラムは、上記構成を有し、TV受像機で受信可能なAVコンテンツの絞り込み検索を行う場合に、ユーザにとって効率的な検索条件設定を案内することができる。
【発明を実施するための最良の形態】
【００１２】
＜第１の実施の形態＞
以下、本発明の第１の実施の形態に係る検索案内装置について図１から図４を用いて説明する。図１は本発明の第１の実施の形態に係る検索案内装置の構成の一例を示す構成図である。図２は本発明の第１の実施の形態に係る検索案内装置における検索条件設定画面の一例を示す図である。図３は本発明の第１の実施の形態に係る検索案内装置における検索指標値の計算例を説明するための図である。図４は本発明の第１の実施の形態に係る検索案内装置における動作フローの一例を示すフローチャートである。
【００１３】
まず、本発明の第１の実施の形態に係る検索案内装置について図１を用いて説明する。上述した図８の従来の検索案内装置と相違する点は、キーワード別検索指標値計算機能部１６及びキーワード別該当コンテンツ個数取得機能部１７が追加されている点である。すなわち、検索案内装置（検索条件設定機能部）１０は、検索条件設定画面作成機能部（表示制御手段）１１、キーワードデータ取得機能部１２、キーワードデータベース（キーワード格納手段）１３、キーワード別検索指標値計算機能部（算出手段）１６、キーワード別該当コンテンツ個数取得機能部（取得手段）１７から構成されている。
【００１４】
なお、コンテンツサーバ１８はコンテンツやコンテンツの内容を示す情報を関連付けて格納するサーバで、検索機能部１４を介して検索案内装置１０と接続可能な構成となっているが、検索案内装置１０の構成要素としてもよい。ここで、コンテンツの内容を示す情報とは、例えば上述した第１の属性に相当するコンテンツの「ジャンル」、「録画年月日」、「タイトル頭文字」などの情報や、それらの情報をさらに複数の属性（第２の属性）に区分けした情報、例えば「ジャンル」に関してはさらに「スポーツ」、「ドラマ」、「ニュース」、「音楽」などのキーワード（第２の属性を示すキーワード）の情報などを言う。
【００１５】
検索機能部１４は、検索条件設定画面作成機能部１１から受けた検索条件に基づいてコンテンツサーバ１８からコンテンツを取得し、そのコンテンツに関する情報（例えば、コンテンツのタイトルや録画年月日などの情報）を検索条件設定画面作成機能部１１に送るものである。リモコン信号受信機能部１５は、ユーザからの指示をリモコンなどを介して受信するものである。
【００１６】
検索条件設定画面作成機能部１１は、キーワード別検索指標値計算機能部１６によって算出された第２の属性を示すキーワードごとのページ送り回数の情報（以下、検索指標値とも言う）と第１の属性ごとのページ送り回数の情報のうち、少なくとも第１の属性ごとのページ送り回数の情報を、それぞれの第１の属性のページ送り回数の情報に対応するキーワードデータベース１３に格納された第１の属性に関連付けて不図示の表示手段に表示させるものであり、具体的には後述する図２や図５に示す検索条件設定画面を作成し、不図示の表示手段に表示させるための制御をしているものである。キーワードデータ取得機能部１２は、従来の検索案内装置のものと同様の機能を有し、デフォルト初期値あるいはユーザのリモコン操作によって選ばれたキーワード種類（例えば、後述する図２に示す「ジャンル」）に基づいてキーワードデータベース１３から該当するキーワード群を取得し、検索条件設定画面作成機能部１１によってキーワードリストが表示される。キーワードデータベース１３は、複数のコンテンツの複数の第１の属性のそれぞれに含まれる複数の第２の属性をそれぞれ示すキーワードを第１の属性ごとに格納するものであり、具体的には従来の検索案内装置のものと同様であり、キーワード種類（上述した第１の属性であって、例えば、「ジャンル」、「録画年月日」、「タイトル頭文字」など）ごとに分類された複数のキーワード（上述した第２の属性であって、例えば、「ジャンル」に関しては「スポーツ」、「ドラマ」、「ニュース」、「音楽」などのキーワード）があらかじめ格納されている。
【００１７】
キーワード別該当コンテンツ個数取得機能部１７は、コンテンツサーバ１８に格納されているコンテンツの総数の情報と、第２の属性を示すキーワードに該当するコンテンツのキーワードごとの数の情報とを検索機能部１４などを介してコンテンツサーバ１８から取得するものである。キーワード別検索指標値計算機能部１６は、取得されたコンテンツの総数の情報及び第２の属性を示すキーワードごとのコンテンツの数の情報と、コンテンツに関する情報（例えば、図７ｃの該当コンテンツリスト７８に示される情報）を不図示の表示手段の所定の表示領域の１ページに表示する際に表示可能なコンテンツ数（以下、限界表示コンテンツ数とも言う）の情報とに基づいて、キーワードごと及びキーワード種類ごとにページ送り回数の情報（検索指標値）を算出するものである。ここで、限界表示コンテンツ数は所定の記憶領域に格納されていたものを取得するようにしてもよい。なお、検索指標値の算出については後述する。
【００１８】
上述したような構成において、本発明の第１の実施の形態では、所望のコンテンツの見つけ易さの指標として、ユーザがキーワードを決めて検索を行った後に、検索結果の中から目的のコンテンツを見つけ出すために行わなければならない検索画面のページ送り回数（検索指標値）を利用する。すなわち、同じコンテンツを探し出すページ送りの操作が最少の操作で済むような検索条件を選ぶことがユーザにとって効率のよい検索だからである。本発明の第１の実施の形態では、この検索指標値の計算に、各キーワードに該当するコンテンツの数と不図示の表示手段の検索結果表示画面（上述した表示領域に相当）の１ページに表示可能なコンテンツ数（限界表示コンテンツ数）とを使用する。なお、後者は検索結果表示のために内部的に既知の値であるため特にそれを取得する機能などの追加は必要ない。また、各キーワードの該当コンテンツの数は、検索機能部１４が検索してコンテンツサーバ１８から取得する場合に限られず、Web検索のように無限に近いコンテンツ群から入手するわけではないため、TVの電子番組情報の検索機能やコンテンツサーバ１８自身のコンテンツ検索機能などを使っても比較的簡単に入手することができる。
【００１９】
第１の実施の形態では、検索条件設定画面を作成する場合やコンテンツサーバ１８との接続時や電子番組表取得時などに、「ジャンル」、「録画年月日」、「タイトル頭文字」などのキーワード種類のうち、どのキーワード種類を使うと所望のコンテンツが見つけ易いかを計算し、検索条件設定画面で、その順序をユーザに案内し、ユーザのコンテンツ検索操作を補助する。図２にその検索条件設定画面２０の一例を示す。図２中、キーワード種類リスト２１の各キーワード種類の横の括弧内の値が検索し易さを示す検索指標値で、その値が小さいほど検索後の操作が少なくなる確率が高い。なお、キーワード種類が選択され、決定ボタン２２が指示されると次の処理に移る。
【００２０】
次に、このキーワード種類における検索のし易さを示す検索指標値Ｐの計算方法について説明する。今、「ジャンル」というキーワード種類のキーワードが「スポーツ」、「ドラマ」、「バラエティ」、・・・、「その他」などのようにn個あり、各キーワードに属するコンテンツ数をＭ１個、Ｍ２個、Ｍ３個、・・・Ｍｎ個とする。なお全コンテンツがいずれかのキーワードに属する場合、コンテンツ総数Ｍ はＭ１+Ｍ２+Ｍ３+・・・＋Ｍｎとなる。また、検索結果表示画面の１ページに表示可能なコンテンツ数（限界表示コンテンツ数）をLとするとき、任意のキーワードにおける検索該当コンテンツ数Mｉを表示するには、小数点以下切捨て演算で （Ｍｉ−１)／Ｌ＋１ ページが必要になる。つまりユーザは所望のコンテンツを出現させるために、最小０回、最大で（Ｍｉ−１)／Ｌ回のページ送り操作、すなわち平均で（Ｍｉ−１)／２Ｌ回のページ送りの操作を行う必要がある。また、所望のコンテンツがこのキーワードに含まれているキーワード該当確率はＭｉ／Ｍであるから、所望のコンテンツがこのキーワードに属し、さらにコンテンツ発見のために行わなければいけないページ送り操作の確率的回数Piは式（１）のように表される。
【００２１】
【数１】
2007272625.tif 000003
【００２２】
（Ｍｉ−１）／２Ｌは平均ページ送り操作回数を表しており、Ｍｉ／Ｍはキーワード該当確率を表している。このキーワード種類全体においてコンテンツ発見のために必要と予想されるページ送り操作の確率的回数Pは、このキーワード種類に属する各キーワードのページ送り操作回数Piの和になる。すなわち式（２）のように表される。
【００２３】
【数２】
2007272625.tif 000004
【００２４】
このPの値の最小値は０で、値が小さいほどページ送り操作をしなくてよいことになり、検索が容易であるといえる。
【００２５】
図３に簡単なこの計算例と効果を示す。今、コンテンツの総数Ｍ＝１００個が２つのキーワード種類「ジャンル」と「録画した月」で検索できるとする。また、計算を簡単にするため、使用可能なキーワードは、「ジャンル」に関しては「スポーツ」と「ドラマ」で、それぞれ９０個、１０個のコンテンツが該当し、「録画した月」に関しては「３月」と「４月」で、それぞれ５０個が該当するとする。ここで、検索結果の表示ページは１ページ当たり５個のコンテンツを表示できる（限界表示コンテンス数Ｌ＝５）とした場合、結果表示ページ数、最小、最大、平均ページ送り回数、コンテンツ該当確率、キーワード別ページ送りの確率的回数（キーワード別の検索指標値）、キーワード種類別ページ送り回数（キーワード種類別の検索指標値）はそれぞれ図３に示すような値となる。この計算例では、検索する場合に「ジャンル」を使用した場合、コンテンツを見つけるまで平均で７．７回のページ送り操作が必要で、「録画した月」を使用した場合には４．５回で済むため「録画した月」で検索する方が効率的となる。
【００２６】
次に、本発明の実施の形態に係る検索案内装置の動作フローについて図４を用いて説明する。まず、検索処理の開始後、検索案内装置１０は、コンテンツサーバ１８に格納された複数のコンテンツの総数の情報と、キーワードごとのコンテンツの数の情報とを取得する（ステップＳ４０１）。検索案内装置１０は、取得された情報と限界表示コンテンツ数の情報に基づいてキーワード種類ごとの検索指標値を算出する（ステップＳ４０２）。検索案内装置１０は、例えば図２に示すような、算出された検索指標値が付加されたキーワード種類を不図示の表示手段に表示させる（ステップＳ４０３）。検索案内装置１０は、表示画面を見たユーザからキーワード種類の選択の指示を受け付ける（ステップＳ４０４）。検索案内装置１０は、選択されたキーワード種類のキーワードを不図示の表示手段に表示させる（ステップＳ４０５）。
【００２７】
検索案内装置１０は、キーワードが表示された画面を見たユーザからキーワードの選択の指示を受け付ける（ステップＳ４０６）。検索案内装置１０は、その後ユーザによって検索開始を示すボタンが指示されたか否かを判断する（ステップＳ４０７）。検索開始が指示された場合、検索案内装置１０は検索機能部１４に検索を開始する旨を伝え、検索機能部１４は検索を開始し、検索結果を取得し（ステップＳ４０８）、検索案内装置１０は、検索結果を不図示の表示手段に表示させる（ステップＳ４０９）。一方、ステップＳ４０７において検索開始を示すボタンが指示されず、条件追加を示すボタンが指示された場合、検索案内装置１０は、現在の条件であるキーワードに該当するコンテンツを設定して（ステップＳ４１０）、再度キーワードごとのコンテンツの数の情報などを取得し、検索指標値の計算を行い、キーワード種類を選択する画面を表示させる。これにより、検索条件を重畳的にして絞り込みを行う場合より効率的な検索を行うことができる。
【００２８】
＜第２の実施の形態＞
図５は本発明の第２の実施の形態に係る検索案内装置における検索条件設定画面の一例である。図５に示す検索条件設定画面５０は、図７ａに示すようなキーワード種類を選択する画面と図７ｂに示すようなキーワードを選択する画面が一つになっている。すなわち、キーワード種類リスト５１でキーワード種類の選択を変更すると、キーワードリスト５２の内容もその種類に属するキーワード群に変更される。なお、検索開始ボタン５３及び条件追加ボタン５４は従来のものと同様の機能を有している。
【００２９】
本実施の第２の実施の形態では、各キーワード種類に検索指標値が付いているだけではなく、そのキーワードにおいても同時に検索指標値を付加している。キーワードの検索指標値は上述したキーワードごとのページ送り操作の確率的回数Piである。これにより、ユーザは自分が選ぼうとしているキーワードそのものが検索し易いか否かを判断することができる。また、もしそのキーワードがあまり検索し易すくなく、ユーザが別のキーワード候補を頭に描いている場合には、別のキーワード種類を選び、適切なキーワードがないか探すことが可能である。このようにあらかじめ幾つかの検索キーワード候補がある場合には、キーワード種類よりもキーワードそのものの検索し易さを提供することが望ましい。
【産業上の利用可能性】
【００３０】
本発明に係る検索案内装置及び検索案内プログラムは、TV受像機で受信可能なAVコンテンツの絞り込み検索を行う場合に、ユーザにとって効率的な検索条件設定を案内することができるため、サーバやハードディスクレコーダなどに蓄積されたAVコンテンツや複数のデジタル放送番組から、ユーザに提供する所望のコンテンツを検索する検索案内装置及び検索案内プログラムなどに有用である。
【図面の簡単な説明】
【００３１】
【図１】本発明の第１の実施の形態に係る検索案内装置の構成の一例を示す構成図である。
【図２】本発明の第１の実施の形態に係る検索案内装置における検索条件設定画面の一例を示す図である。
【図３】本発明の第１の実施の形態に係る検索案内装置における検索指標値の計算例を説明するための図である。
【図４】本発明の第１の実施の形態に係る検索案内装置における動作フローの一例を示すフローチャートである。
【図５】本発明の第２の実施の形態に係る検索案内装置における検索条件設定画面の一例を示す図である。
【図６】従来のTV使用環境の一例を示した図である。
【図７ａ】従来の検索案内装置による検索条件設定画面を示す図である。
【図７ｂ】従来の検索案内装置による他の検索条件設定画面を示す図である。
【図７ｃ】従来の検索案内装置による検索結果画面を示す図である。
【図８】従来の検索案内装置の構成の一例を示す構成図である。
【符号の説明】
【００３２】
１０  検索条件設定機能部
１１  検索条件設定画面作成機能部（表示制御手段）
１２  キーワードデータ取得機能部
１３  キーワードデータベース（キーワード格納手段）
１４  検索機能部
１５  リモコン信号受信機能部
１６  キーワード別検索指標値計算機能部（算出手段）
１７  キーワード別該当コンテンツ個数取得機能部（取得手段）
１８  コンテンツサーバ
２０、５０  検索条件設定画面
２１、５１  キーワード種類リスト
２２  決定ボタン
５２  キーワードリスト
５３  検索開始ボタン
５４  条件追加ボタン
６１  TV
６２  ホームネットワークサーバ
６３  ハードディスクレコーダ
７０、７３  検索条件設定画面
７１  キーワード種類リスト
７２  決定ボタン
７４  キーワードリスト
７５  検索開始ボタン
７６  条件追加ボタン
７７  検索結果画面
７８  該当コンテンツリスト
７９  次のページボタン
８０  検索条件設定機能部
８１  検索条件設定画面作成機能部
８２  キーワードデータ取得機能部
８３  キーワードデータベース
８４  検索機能部
８５  リモコン信号受信機能部
８６  コンテンツサーバ
【図１】
2007272625.tif 000005
【図２】
2007272625.tif 000006
【図３】
2007272625.tif 000007
【図４】
2007272625.tif 000008
【図５】
2007272625.tif 000009
【図６】
2007272625.tif 000010
【図７ａ】
2007272625.tif 000011
【図７ｂ】
2007272625.tif 000012
【図７ｃ】
2007272625.tif 000013
【図８】
2007272625.tif 000014